(57)【要約】【課題】機器の用途が限定されることなく、簡単な操作や処理動作により、１台の電子機器で複数の周辺装置を遠隔操作することが出来るリモート・コントロール・システムを提供する。【解決手段】リモコンＲ１で設定したリモコン・リンク設定情報に基づいて、周辺装置であるエアコン２００または照明器具３００の操作を開始する時刻と、操作を終了する時刻が到来すると、当該リモコン・リンク設定時にテレビ１００のリモコン信号受信部１８で受信された周辺装置を操作するためのリモコン信号Ｓ２またはＳ３が、記憶部１５の所定の記憶領域から抽出されて、リモコン信号Ｓ４として、リモコン信号送信部１９から対応する周辺装置のリモコン信号受信部２２またはリモコン信号受信部３２に向けて送信される。そして、リモコン信号Ｓ４を受信した周辺装置は、当該リモコン信号Ｓ４に含まれているコマンド情報に従って、所定の動作を開始し、また、終了する。【選択図】図２
2011029914.tif 000002
【特許請求の範囲】
【請求項１】
１台の電子機器と、前記電子機器を遠隔操作するための第１のリモート・コントロール装置と、前記電子機器の周辺に設置された周辺装置と、前記周辺装置を遠隔操作するための第２のリモート・コントロール装置とで構成されるリモート・コントロール・システムであって、
前記第１のリモート・コントロール装置は、前記電子機器を遠隔操作するための第１の操作部と、前記第１の操作部による操作に対応した第１のリモート・コントロール信号を送信するための第１のリモコン信号送信部とを備え、
前記第２のリモート・コントロール装置は、前記周辺装置を遠隔操作するための第２の操作部と、前記第２の操作部による操作に対応した第２のリモート・コントロール信号を送信するための第２のリモコン信号送信部とを備え、
前記電子機器は、前記第１のリモート・コントロール信号を受信するための第１のリモコン信号受信部と、前記第１および第２のリモコン信号受信部で受信した前記第２のリモート・コントロール信号を記憶する記憶部と、前記記憶部に記憶されているリモート・コントロール信号をそのままの状態で第３のリモート・コントロール信号として送信する第３のリモコン信号送信部とを備え、
前記周辺装置は、前記第２および第３のリモート・コントロール信号を受信するための第２のリモコン信号受信部を備え、
前記第１操作部の操作により設定された設定情報に基づく時間が到来した場合に、当該設定情報の設定時に前記記憶部に記憶された前記第２のリモート・コントロール信号を、前記第３のリモート・コントロール信号として、前記第３のリモコン信号送信部から前記第２のリモコン信号受信部へ送信し、
前記第２のリモコン信号受信部で受信された前記第３のリモート・コントロール信号に基づいて、前記周辺装置を操作することを特徴とするリモート・コントロール・システム。
【請求項２】
請求項１に記載のリモート・コントロール・システムにおいて、
前記電子機器は、映像信号および音声信号を含むテレビジョン放送信号を受信する受信装置と、前記映像信号に基づいて映像を表示する表示部と、前記音声信号に基づいて音声を出力するスピーカとを備えたテレビジョン受像機であることを特徴とするリモート・コントロール・システム。
【請求項３】
請求項１または請求項２に記載のリモート・コントロール・システムにおいて、
前記電子機器に、複数個の前記第３のリモコン信号送信部を設けたことを特徴とするリモート・コントロール・システム。
【発明の詳細な説明】
【技術分野】
【０００１】
本発明は、１台の電子機器で複数の外部機器を遠隔操作するリモート・コントロール・システムに関する。
【背景技術】
【０００２】
従来からテレビジョン受像機、ＢＤ（Blu-ray（登録商標） Disc）プレーヤ、エア・コンディショナー（以下、「エアコン」と記載）、照明器具等の電子機器には、各種機器に応じた操作、例えば、選局や音量調整、温度調整や光量調整などを行うためのリモート・コントロール装置（以下、「リモコン」と記載）が備えられており、機器操作のほとんどは、このリモコンによってなされている。このリモコンからは、機器を制御するための制御コードを信号化したリモコン信号（例えば、赤外線信号）が送信される。
【０００３】
しかしながら、所有する電子機器の数が増えるにつれて、当該電子機器を制御するためのリモコンの数も増え、それに伴い、リモコンの使い分けが煩雑となるため、操作対象の機器を誤ることによる誤作動発生率が高くなり、総じて利用者に不便さを感じさせることとなる。
【０００４】
機器毎にリモコンを使い分けることによる煩雑さを解決するための技術が、後掲の特許文献１〜３に記載されている。
【０００５】
例えば、特許文献１に記載のリモート・コントロール・システムでは、電子機器の本体操作部の操作に基づく制御信号と、当該操作に対応する周辺装置のリモート・コントロール信号とを個々に対応させてメモリに記憶し、本体操作部から制御信号が入力された時に、入力された制御信号とメモリに記憶されている制御信号とを比較し、入力された制御信号と一致する制御信号がメモリ内にある場合は、当該制御信号に対応するリモート・コントロール信号を周辺装置へ発信する。
【０００６】
特許文献２に記載の遠隔制御システムでは、所定区域内の任意の位置に設置された制御パネルと、当該所定区域内の複数の周辺装置に制御指令を送信する制御端末とを有し、各周辺装置に備えられているリモコンのリモコン信号を、制御パネルに蓄積し、制御端末で所望の周辺装置を選択した時に、選択した周辺装置のリモコン信号を制御パネルから制御端末に転送する。
【０００７】
特許文献３に記載の受信装置では、当該受信装置に関連した周辺装置を制御するためのコマンド情報を生成した後、メモリ等に記憶する。そして、コマンド情報毎に設定された諸条件が満たされた場合に、当該コマンド情報をメモリ等から読み出した後、所定のリモコン信号に変換し、リモコン信号を制御対象の周辺装置に向けて出射することで、周辺装置を自動的に制御する。
【先行技術文献】
【特許文献】
【０００８】
【特許文献１】特開平５−８３７７０号公報
【特許文献２】特開２００３−１２５４６５号公報
【特許文献３】特開２００５−５７５８９号公報
【発明の概要】
【発明が解決しようとする課題】
【０００９】
上述したように、１台の電子機器で複数の周辺装置を遠隔操作する場合、電子機器側の操作に基づく制御信号と、当該操作に対応する周辺装置のリモコン信号とを個々に対応させてメモリに記憶する操作が必要であったり（特許文献１参照）、用途が複数の周辺装置を遠隔操作することに限定された電子機器をわざわざ用意する必要があったり（特許文献２参照）、周辺装置を制御するためのコマンド情報を、電子機器側で生成した後、制御対象の周辺装置に対応したリモコン信号に変換するための変換データが必要であったりする（特許文献３参照）。
【００１０】
本発明は、以上の問題点に鑑み、機器の用途が限定されることなく、簡単な操作や処理動作により、１台の電子機器で複数の周辺装置を遠隔操作することが出来るリモート・コントロール・システムを提供することを課題とする。
【課題を解決するための手段】
【００１１】
本発明に係るリモート・コントロール・システムは、１台の電子機器と、電子機器を遠隔操作するための第１のリモート・コントロール装置と、電子機器の周辺に設置された周辺装置と、周辺装置を遠隔操作するための第２のリモート・コントロール装置とで構成される。第１のリモート・コントロール装置は、電子機器を遠隔操作するための第１の操作部と、第１の操作部による操作に対応した第１のリモート・コントロール信号を送信するための第１のリモコン信号送信部とを備えている。第２のリモート・コントロール装置は、周辺装置を遠隔操作するための第２の操作部と、第２の操作部による操作に対応した第２のリモート・コントロール信号を送信するための第２のリモコン信号送信部とを備えている。  電子機器は、第１および第２のリモート・コントロール信号を受信するための第１のリモコン信号受信部と、第１のリモコン信号受信部で受信した第２のリモート・コントロール信号を記憶する記憶部と、記憶部に記憶されているリモート・コントロール信号をそのままの状態で第３のリモート・コントロール信号として送信する第３のリモコン信号送信部とを備えている。周辺装置は、第２および第３のリモート・コントロール信号を受信するための第２のリモコン信号受信部を備えている。そして、第１操作部の操作により設定された設定情報に基づく時間が到来した場合に、当該設定情報の設定時に記憶部に記憶された第２のリモート・コントロール信号を、第３のリモート・コントロール信号として、第３のリモコン信号送信部から第２のリモコン信号受信部へ送信し、第２のリモコン信号受信部で受信された第３のリモート・コントロール信号に基づいて、周辺装置を操作する。
【００１２】
このようにすることで、第３のリモコン信号送信部から送信される第３のリモート・コントロール信号は、電子機器の第１のリモコン信号受信部で受信された周辺装置を操作するためのリモート・コントロール信号そのものであるため、利用者は、電子機器側の操作に基づく制御信号と、当該操作に対応する周辺装置のリモート・コントロール信号とを個々に対応させてメモリ等の記憶部に記憶する操作を行わなくて良い。また、電子機器により周辺装置を操作するため、周辺装置を遠隔操作することに限定された電子機器をわざわざ用意する必要がない。さらに、電子機器の第１のリモコン信号受信部で受信されたリモート・コントロール信号に対して、当該電子機器の仕様に合わせた信号変換処理を行わないため、制御対象の周辺装置に対応したリモート・コントロール信号に変換するための変換データが不要である。
【００１３】
本発明の典型的な実施形態では、電子機器は、映像信号および音声信号を含むテレビジョン放送信号を受信する受信装置と、映像信号に基づいて映像を表示する表示部と、音声信号に基づいて音声を出力するスピーカとを備えたテレビジョン受像機である。
【００１４】
テレビジョン受像機は、一般的に、室内の壁側に設置され、その周囲に遮蔽物が置かれることはほとんどない。このため、同じ室内にある周辺装置に対して、リモート・コントロール信号を送信しやすい。また、表示画面を有しているとともに、タイマによるスケジューリング機能を備えているため、これらを利用して、種々の設定を容易に行うことが出来る。
【００１５】
本発明では、電子機器に、複数個の第３のリモコン信号送信部を設けてもよい。
【００１６】
このようにすることで、それぞれのリモコン信号送信部の指向性に制限があっても、広範囲の周辺機器を操作することが出来る。
【発明の効果】
【００１７】
本発明によれば、機器の用途が限定されることなく、簡単な操作や処理動作により、１台の電子機器で複数の周辺装置を遠隔操作することが出来る。
【図面の簡単な説明】
【００１８】
【図１】本発明に係るリモート・コントロール・システムの全体構成の一例を示した図である。
【図２】テレビ、エアコン、照明器具、および、各リモコンのブロック図である。
【図３】テレビの表示部に表示されるリモコン・リンク設定画面の一例を示した図である。
【発明を実施するための形態】
【００１９】
以下、本発明の実施形態につき、図面を参照しながら説明する。尚、後述する図１〜図３において、同一部分または対応する部分に同一符号を付してある。
【００２０】
図１は、本発明に係るリモート・コントロール・システムの全体構成の一例を示した図である。
【００２１】
図中において、１００は、映像信号および音声信号を含むテレビジョン放送信号（以下、単に「放送信号」と記載）の受信が可能な電子機器であり、本実施形態においては、テレビジョン受像機（以下、「テレビ」と記載）である。テレビ１００は、例えば、利用者の自宅の居間に設置されている。
【００２２】
Ｒ１は、テレビ１００を遠隔操作するためのリモート・コントロール装置（以下、「リモコン」と記載）であり、リモコンＲ１からは、テレビ１００を操作するためのリモート・コントロール信号（以下、「リモコン信号」と記載）Ｓ１が送信される。
【００２３】
テレビ１００において、１８は、リモコン信号Ｓ１を受信するためのリモコン信号受信部である。１９は、後述するリモコン・リンク設定の設定内容に基づくリモコン信号Ｓ４を送信するためのリモコン信号送信部である。このリモコン信号送信部１９は、表示部１６の前面上部に２個設けられている。リモコン信号送信部１９から送信されるリモコン信号Ｓ４の詳細については、後述する。
【００２４】
２００は、テレビ１００（電子機器）の周辺に設置されている複数の周辺装置の内の１つであり、本実施形態においては、エア・コンディショナー（以下、「エアコン」と記載）である。エアコン２００は、テレビ１００と同じ室内（例えば、居間）の壁に設置されている。
【００２５】
Ｒ２は、エアコン２００を遠隔操作するためのリモコンであり、リモコンＲ２からは、エアコン２００を操作するためのリモコン信号Ｓ２が送信される。エアコン２００において、２２は、リモコン信号Ｓ２を受信するためのリモコン信号受信部である。
【００２６】
３００は、テレビ１００（電子機器）の周辺に設置されている他の周辺装置であり、本実施形態においては、照明器具である。照明器具３００は、テレビ１００と同じ室内（例えば、居間）の天井に設置されている。
【００２７】
Ｒ３は、照明器具３００を遠隔操作するためのリモコンであり、リモコンＲ３からは、照明器具３００を操作するためのリモコン信号Ｓ３が送信される。照明器具３００において、３２は、リモコン信号Ｓ３を受信するためのリモコン信号受信部である。
【００２８】
ここで、テレビ１００の周辺には、エアコン２００や照明器具３００以外にも複数の周辺装置が設置されているが、それらの周辺装置の図示、および、その説明は省略する。
【００２９】
図２は、図１に示したテレビ１００、エアコン２００、照明器具３００、および、リモコンＲ１，Ｒ２，Ｒ３のブロック図である。
【００３０】
図中に示すとおり、テレビ１００は、制御部１１、放送信号受信部１２、映像信号処理部１３、音声信号処理部１４、記憶部１５、表示部１６、スピーカ１７、リモコン信号受信部１８、リモコン信号送信部１９を有している。
【００３１】
制御部１１は、例えば、ＣＰＵ（Central  Processing Unit）から構成されており、テレビ１００の各部を制御する。
【００３２】
放送信号受信部１２は、例えば、放送電波を選局するチューナ（図示省略）や、放送信号を復調する復調部（図示省略）等から構成されている。アンテナＮで受信された放送電波に基づく放送信号は、放送信号受信部１２で受信される。尚、アンテナＮは、屋外に設置されているため、図１には図示されていない。
【００３３】
映像信号処理部１３は、放送信号受信部１２で受信した放送信号に含まれる映像信号に対して、画像処理等の所定の処理を行う。また、映像信号処理部１３は、制御部１１の制御の下、リモコンＲ１における各種操作に対応したＯＳＤ（On Screen Display）を生成する。
【００３４】
音声信号処理部１４は、放送信号受信部１２で受信した放送信号に含まれる音声信号に対して、増幅等の所定の処理を行う。
【００３５】
記憶部１５は、例えば、ＥＥＰＲＯＭ（Electronically  Erasable and Programmable Read Only Memory）から構成されており、制御部１１により実行される制御プログラムや各種アプリケーションプログラムが予め記憶されている。また、記憶部１５は、後述するリモコン・リンク設定における設定情報等を記憶する。
【００３６】
表示部１６は、例えば、ＬＣＤ（Liquid  Crystal Display）から構成されており、映像信号処理部１３にて画像処理等が行われた映像信号に基づいて、映像を表示する。
【００３７】
スピーカ１７は、音声信号処理部１４にて増幅等が行われた音声信号に基づいて、音声を出力する。
【００３８】
リモコン信号受信部１８は、例えば、赤外線を受光するフォトトランジスタから構成されており、リモコンＲ１，Ｒ２，Ｒ３から当該リモコン信号受信部１８に向けて送信されたリモコン信号を受信する。
【００３９】
詳しくは、テレビ１００の各種操作に対応するリモコン信号Ｓ１が、リモコンＲ１からリモコン信号受信部１８に向けて送信された場合は、当該リモコン信号Ｓ１を受信する。また、後述するリモコン・リンク設定時において、当該設定に係るリモコン信号Ｓ２やリモコン信号Ｓ３が、リモコンＲ２，Ｒ３からリモコン信号受信部１８に向けて送信された場合は、各リモコン信号をそれぞれ受信する。
【００４０】
リモコン信号送信部１９は、例えば、赤外線を発光するＬＥＤ（Light Emitting Diode）から構成されており、後述するリモコン・リンク設定の設定内容に基づくリモコン信号Ｓ４を、テレビ１００の周辺に設置されている周辺装置に向けて送信する。詳しくは、リモコン信号送信部１９は、エアコン２００のリモコン信号受信部２２や、照明器具３００のリモコン信号受信部３２に向けて、リモコン信号Ｓ４を送信する。
【００４１】
テレビ１００には、上述した以外にも種々の装置（例えば、電源装置）等が備えられているが、本発明には直接関係がないため、これらの装置の図示、および、その説明は省略する。
【００４２】
エアコン２００は、制御部２１とリモコン信号受信部２２とその他種々の装置（例えば、冷却装置）を有している。尚、制御部２１とリモコン信号受信部２２以外の装置は、本発明には直接関係がないため、これらの装置の図示、および、その説明は省略する。
【００４３】
制御部２１は、例えば、ＣＰＵから構成されており、エアコン２００の各部を制御する。リモコン信号受信部２２は、例えば、赤外線を受光するフォトトランジスタから構成されており、リモコンＲ２やテレビ１００から当該リモコン信号受信部２２に向けて送信されたリモコン信号を受信する。
【００４４】
詳しくは、エアコン２００の各種操作に対応するリモコン信号Ｓ２が、リモコンＲ２からリモコン信号受信部２２に向けて送信された場合は、当該リモコン信号Ｓ２を受信する。また、後述するリモコン・リンク設定の設定内容に基づくリモコン信号Ｓ４が、テレビ１００からリモコン信号受信部２２に向けて送信された場合は、当該リモコン信号Ｓ４を受信する。
【００４５】
照明器具３００は、制御部３１とリモコン信号受信部３２とその他種々の装置（例えば、インバータ装置等）を有している。尚、制御部３１とリモコン信号受信部３２以外の装置は、本発明には直接関係がないため、これらの装置の図示、および、その説明は省略する。
【００４６】
制御部３１は、例えば、ＣＰＵから構成されており、照明器具３００の各部を制御する。リモコン信号受信部３２は、例えば、赤外線を受光するフォトトランジスタから構成されており、リモコンＲ３やテレビ１００から当該リモコン信号受信部３２に向けて送信されたリモコン信号を受信する。
【００４７】
詳しくは、照明器具３００の各種操作に対応するリモコン信号Ｓ３が、リモコンＲ３からリモコン信号受信部３２に向けて送信された場合は、当該リモコン信号Ｓ３を受信する。また、後述するリモコン・リンク設定の設定内容に基づくリモコン信号Ｓ４が、テレビ１００からリモコン信号受信部３２に向けて送信された場合は、当該リモコン信号Ｓ４を受信する。
【００４８】
リモコンＲ１は、操作部５１とリモコン信号送信部５２とその他種々の装置（例えば、ＣＰＵやメモリ等）を有している。尚、操作部５１とリモコン信号送信部５２以外の装置は、本発明には直接関係がないため、これらの装置の図示、および、その説明は省略する。
【００４９】
操作部５１は、例えば、複数の押しボタン（図示省略）から構成されており、リモコン信号送信部５２は、例えば、赤外線を発光するＬＥＤから構成されている。操作部５１では、テレビ１００を遠隔操作するための各種操作が行われ、当該操作に対応するリモコン信号Ｓ１が、リモコン信号送信部５２からテレビ１００のリモコン信号受信部１８に向けて送信される。
【００５０】
リモコンＲ２は、操作部６１とリモコン信号送信部６２とその他種々の装置（例えば、ＣＰＵやメモリ等）を有している。尚、操作部６１とリモコン信号送信部６２以外の装置は、本発明には直接関係がないため、これらの装置の図示、および、その説明は省略する。
【００５１】
操作部６１は、例えば、複数の押しボタン（図示省略）から構成されており、リモコン信号送信部６２は、例えば、赤外線を発光するＬＥＤから構成されている。操作部６１では、エアコン２００を遠隔操作するための各種操作が行われ、当該操作に対応するリモコン信号Ｓ２が、リモコン信号送信部６２から送信される。
【００５２】
ここで、リモコン信号送信部６２をエアコン２００のリモコン信号受信部２２に向けた場合、当該リモコン信号送信部６２から送信されたリモコン信号Ｓ２は、リモコン信号受信部２２で受信される。
【００５３】
しかしながら、後述するリモコン・リンク設定時において、リモコン信号送信部６２をテレビ１００のリモコン信号受信部１８に向けた場合は、当該リモコン信号送信部６２から送信されたリモコン信号Ｓ２は、リモコン信号受信部１８で受信される。
【００５４】
リモコンＲ３は、操作部７１とリモコン信号送信部７２とその他種々の装置（例えば、ＣＰＵやメモリ等）を有している。尚、操作部７１とリモコン信号送信部７２以外の装置は、本発明には直接関係がないため、これらの装置の図示、および、その説明は省略する。
【００５５】
操作部７１は、例えば、複数の押しボタン（図示省略）から構成されており、リモコン信号送信部７２は、例えば、赤外線を発光するＬＥＤから構成されている。操作部７１では、照明器具３００を遠隔操作するための各種操作が行われ、当該操作に対応するリモコン信号Ｓ３が、リモコン信号送信部７２から送信される。
【００５６】
ここで、リモコン信号送信部７２を照明器具３００のリモコン信号受信部３２に向けた場合、当該リモコン信号送信部７２から送信されたリモコン信号Ｓ３は、リモコン信号受信部３２で受信される。
【００５７】
しかしながら、後述するリモコン・リンク設定時において、リモコン信号送信部７２をテレビ１００のリモコン信号受信部１８に向けた場合は、当該リモコン信号送信部７２から送信されたリモコン信号Ｓ３は、リモコン信号受信部１８で受信される。
【００５８】
以上において、テレビ１００は、本発明における電子機器の一実施形態であり、リモコン信号受信部１８は、本発明における第１のリモコン信号受信部の一実施形態であり、リモコン信号送信部１９は、本発明における第３のリモコン信号送信部の一実施形態である。また、放送信号受信部１２およびアンテナＮは、本発明における受信装置の一実施形態である。
【００５９】
エアコン２００は、本発明における周辺装置の一実施形態であり、リモコン信号受信部２２は、本発明における第２のリモコン信号受信部の一実施形態である。照明器具３００は、本発明における周辺装置の他の実施形態であり、リモコン信号受信部３２は、本発明における第２のリモコン信号受信部の他の実施形態である。
【００６０】
リモコンＲ１は、本発明における第１のリモート・コントロール装置の一実施形態であり、操作部５１は、本発明における第１の操作部の一実施形態であり、リモコン信号送信部５２は、第１のリモコン信号送信部の一実施形態である。また、リモコン信号送信部５２から送信されるリモコン信号Ｓ１は、第１のリモート・コントロール信号の一実施形態である。
【００６１】
リモコンＲ２は、本発明における第２のリモート・コントロール装置の一実施形態であり、操作部６１は、本発明における第２の操作部の一実施形態であり、リモコン信号送信部６２は、第２のリモコン信号送信部の一実施形態である。また、リモコン信号送信部６２から送信されるリモコン信号Ｓ２は、第２のリモート・コントロール信号の一実施形態である。
【００６２】
リモコンＲ３は、本発明における第２のリモート・コントロール装置の他の実施形態であり、操作部７１は、本発明における第２の操作部の他の実施形態であり、リモコン信号送信部７２は、第２のリモコン信号送信部の他の実施形態である。また、リモコン信号送信部７２から送信されるリモコン信号Ｓ３は、第２のリモート・コントロール信号の他の実施形態である。
【００６３】
以下においては、上述した構成のリモート・コントロール・システムにおいて、テレビ１００（図１）によりエアコン２００（図１）や照明器具３００（図１）等の周辺装置を操作するための設定（以下、「リモコン・リンク設定」と記載）に関する一連の動作について順に説明する。
【００６４】
まず、リモコン・リンク設定を行う場合の手順について説明する。尚、以下においては、利用者が所望する時間や所望する操作内容等に合わせたリモコン・リンク設定を行うものとする。
【００６５】
利用者は、上述したリモコン・リンク設定を行う場合、リモコンＲ１（図２）の操作部５１において所定の操作を行う。尚、当該操作時において、テレビ１００（図２）の表示部１６には、放送信号受信部１２で受信した放送信号のテレビ番組が表示されている。
【００６６】
操作部５１においてリモコン・リンク設定の操作が行われると、リモコン・リンク設定に係るコマンド情報が含まれたリモコン信号Ｓ１が、リモコン信号送信部５２から送信されて、テレビ１００のリモコン信号受信部１８で受信される。
【００６７】
リモコン信号受信部１８で、リモコン・リンク設定に対応するリモコン信号が受信されると、制御部１１は、当該リモコン信号に基づく設定画面を表示部１６に表示する。表示部１６に表示される設定画面は、例えば、図３に示すようなＯＳＤ８０である。ＯＳＤ８０は、表示部１６に表示されていたテレビ番組の映像に代えて表示してもよいし、当該映像に重ねて表示してもよい。
【００６８】
図３のＯＳＤ８０において、８１は、リモコン・リンク設定に係る予定を組むためのスケジュール欄である。スケジュール欄８１は、１０通りのリモコン・リンク設定の予定を組むことが出来るように構成されている。
【００６９】
８２は、テレビ１００により操作される周辺装置の種類（機器名）を設定するための設定欄である。設定欄８２では、例えば、リモコンＲ１を用いたリモコン操作により、操作対象の機器名が入力される。
【００７０】
詳しくは、ＯＳＤ８０のスケジュール欄８１において、「スケジュール１」では、照明器具３００を操作するためのリモコン・リンク設定が行われるため、対応する設定欄８２に、機器名である「照明」が設定されている。
【００７１】
同じく、「スケジュール２」では、エアコン２００を操作するためのリモコン・リンク設定が行われるため、対応する設定欄８２に、機器名である「エアコン」が設定されている。これにより、リモコン・リンク設定後において、利用者は、テレビ１００により操作される機器を容易に把握することが出来る。
【００７２】
８３は、対応する設定欄８２に設定した周辺装置の製造元の名称を設定するための設定欄である。設定欄８３では、例えば、リモコンＲ１を用いたリモコン操作により、操作対象の周辺装置の製造元の名称が入力される。
【００７３】
詳しくは、ＯＳＤ８０のスケジュール欄８１において、「スケジュール１」では、照明器具３００を操作するためのリモコン・リンク設定が行われるため、対応する設定欄８３に、照明器具３００の製造元の名称である「Ｆ社」が設定されている。
【００７４】
同じく、「スケジュール２」では、エアコン２００を操作するためのリモコン・リンク設定が行われるため、対応する設定欄８３に、エアコン２００の製造元の名称である「Ｉ社」が設定されている。
【００７５】
これにより、リモコン・リンク設定後において、利用者は、テレビ１００の周辺に同じ種類の周辺装置が複数ある場合、製造元の名称からテレビ１００により操作される周辺装置を容易に特定することが出来る。
【００７６】
例えば、テレビ１００の周辺に「Ｆ社」の照明器具と、図１や図２に図示されていない「Ｎ社」の照明器具が設置されている場合、ＯＳＤ８０において、機器名が「照明」で、製造元の名称が「Ｆ社」または「Ｎ社」である設定欄８２および設定欄８３を確認することで、テレビ１００により操作される照明器具を特定することが出来る。
【００７７】
本実施形態においては、スケジュール欄８１の「スケジュール１」において、設定欄８２に「照明」が設定され、設定欄８３に「Ｆ社」が設定されているため、「Ｆ社」の照明器具が、テレビ１００により操作される。
【００７８】
８４は、対応する設定欄８２および設定欄８３に設定した周辺装置に対して、テレビ１００によりどのような操作を行うか（操作内容）を設定するための設定欄である。リモコンＲ２（図２）やリモコンＲ３（図２）を用いたリモコン操作により、操作内容に対応したリモコン信号（コード）が入力されると、設定欄８４に、操作内容の設定が完了したことを示す「済」の表示がされる。
【００７９】
詳しくは、操作内容の設定時において、利用者は、設定欄８２および設定欄８３での設定時に使用していたテレビ１００用のリモコンＲ１に代えて、当該設定欄８２および設定欄８３に設定した周辺装置を操作するためのリモコンを手に取る。
【００８０】
例えば、利用者は、設定欄８２および設定欄８３において、エアコン２００に関する設定を行った場合、操作内容の設定時において、リモコンＲ１に代えてリモコンＲ２を手に取る。
【００８１】
同じく、利用者は、設定欄８２および設定欄８３において、照明器具３００に関する設定を行った場合、操作内容の設定時において、リモコンＲ１に代えてリモコンＲ３を手に取る。
【００８２】
利用者は、設定に必要なリモコンを手にした後、テレビ１００に行わせたい周辺装置の動作に対応した操作を、当該リモコンの操作部において実行する。この場合、当該リモコン操作に基づいて、対応する周辺装置が動作しないように、リモコン信号が送信されるリモコン信号送信部をテレビ１００のリモコン信号受信部１８に向ける必要がある。
【００８３】
例えば、利用者が、テレビ１００によりエアコン２００の電源をＯＮ／ＯＦＦさせる操作を行いたい場合、利用者により、リモコンＲ２の操作部６１（図２）において、エアコン２００の電源をＯＮ／ＯＦＦさせる操作が実行される。
【００８４】
この操作時においては、当該操作に基づいて、エアコン２００の電源が直ちにＯＮ／ＯＦＦ動作しないように、リモコン信号送信部６２を、リモコン信号受信部１８に向ける。これにより、リモコン信号送信部６２から送信されるリモコン信号Ｓ２は、リモコン信号受信部２２で受信されずに、リモコン信号受信部１８で受信される。
【００８５】
同じく、利用者が、テレビ１００により照明器具３００の電源をＯＮ／ＯＦＦさせる操作を行いたい場合、利用者により、リモコンＲ３の操作部７１（図２）において、照明器具３００の電源をＯＮ／ＯＦＦさせる操作が実行される。
【００８６】
この操作時においては、当該操作に基づいて、照明器具３００の電源が直ちにＯＮ／ＯＦＦ動作しないように、リモコン信号送信部７２を、リモコン信号受信部１８に向ける。これにより、リモコン信号送信部７２から送信されるリモコン信号Ｓ３は、リモコン信号受信部３２で受信されずに、リモコン信号受信部１８で受信される。
【００８７】
テレビ１００において、記憶部１５（図２）内には、各設定欄８４に対応した記憶領域が予め設けられている。このため、リモコン信号受信部１８で受信されたリモコン信号（コード）は、対応する所定の記憶領域に記憶される。
【００８８】
この場合、当該リモコン信号に対しては、テレビ１００の仕様に合わせた信号変換処理は行われず、リモコン信号は、リモコン信号受信部１８で受信されたままの状態で記憶部１５内の所定の記憶領域に記憶される。また、リモコン信号が正しく記憶された場合、設定欄８４には、リモコン信号の入力処理が完了したことを示す前述の「済」の印が自動的に入力される。
【００８９】
周辺装置用のリモコンＲ２，Ｒ３による設定欄８４の設定が終了すると、再びテレビ１００用のリモコンＲ１を用いたリモコン・リンク設定が開始される。
【００９０】
８５は、スケジュール欄８１の各スケジュールの設定内容に基づいた操作を開始する時刻を設定するための設定欄である。設定欄８５では、リモコンＲ１を用いたリモコン操作により、利用者が所望する操作開始時刻が入力される。
【００９１】
詳しくは、ＯＳＤ８０のスケジュール欄８１において、「スケジュール１」では、対応する設定欄８５に、照明器具３００の操作開始時刻である「午後６時（１８時）」が設定されている。
【００９２】
同じく、「スケジュール２」では、対応する設定欄８５に、エアコン２００の操作開始時刻である「午前６時」が設定されている。
【００９３】
８６は、対応する設定欄８５の設定内容に基づいて開始された操作を終了する時刻を設定するための設定欄である。設定欄８６では、リモコンＲ１を用いたリモコン操作により、利用者が所望する操作終了時刻が入力される。
【００９４】
詳しくは、ＯＳＤ８０のスケジュール欄８１において、「スケジュール１」では、対応する設定欄８６に、照明器具３００の操作終了時刻である「午後１０時（２２時）」が設定されている。
【００９５】
同じく、「スケジュール２」では、対応する設定欄８６に、エアコン２００の操作終了時刻である「午前７時３０分」が設定されている。
【００９６】
８７は、対応する設定欄８２から設定欄８６の設定内容に基づいた操作の実行頻度を設定するための設定欄である。設定欄８７では、例えば、リモコンＲ１を用いたリモコン操作により、リスト式の設定が行われ、当該リストでは「１回のみ」／「毎日」／「曜日指定」のいずれかを選択することが出来る。また、「曜日指定」が選択された場合は、例えば、日曜日から土曜日の間で、１つまたは複数の曜日を指定することが出来る「曜日指定欄」が別途表示される。上述した「リスト」および「曜日指定欄」については、図示を省略する。
【００９７】
スケジュール欄８１の各スケジュールに対応する設定欄８２から設定欄８７までの設定が完了した場合は、リモコンＲ１の操作部５１において、当該設定情報を保存する操作を行う。これにより、リモコン・リンク設定情報は、テレビ１００の記憶部１５に記憶される。
【００９８】
次に、上述したリモコン・リンク設定に基づいて、テレビ１００によりエアコン２００や照明器具３００等の周辺装置を操作する場合の動作について説明する。
【００９９】
利用者は、上述したリモコン・リンク設定を行った後、リモコンＲ１の操作部５１を操作して、テレビ１００の電源（図示省略）をＯＦＦにする。これにより、テレビ１００は、スタンバイ状態（待機状態）に移行する。利用者は、テレビ１００の電源をＯＦＦにした後、外出や就寝等をする。
【０１００】
そして、前述したリモコン・リンク設定で設定した周辺装置の操作開始時刻、つまり、設定欄８５（図３）に設定した時刻が到来すると、制御部１１の制御の下、テレビ１００の電源がＯＮになる。これにより、テレビ１００は、スタンバイ状態から動作状態に移行する。
【０１０１】
例えば、ＯＳＤ８０のスケジュール欄８１において、スケジュール１では、照明器具３００の操作開始時刻（設定欄８５）が、「午後６時」に設定されているため、当該時刻にテレビ１００が動作状態になる。同じく、ＯＳＤ８０のスケジュール欄８１において、スケジュール２では、エアコン２００の操作開始時刻（設定欄８５）が、「午前６時」に設定されているため、当該時刻にテレビ１００が動作状態になる。
【０１０２】
尚、設定欄８５に設定した時刻が到来したか否かは、制御部１１によって、時計部（図示省略）の時間情報と、記憶部１５に記憶されているリモコン・リンク設定情報とを監視することにより、判断することが出来る。また、この場合、テレビ１００が動作状態に移行した後、表示部１６にテレビ番組等の映像を表示しても良いし、表示しなくても良い。同じく、テレビ１００が動作状態に移行した後、スピーカ１７からテレビ番組等の音声を出力しても良いし、出力しなくても良い。
【０１０３】
テレビ１００が動作状態になると、制御部１１は、設定欄８４の設定時にリモコン信号受信部１８で受信されたリモコン信号を、記憶部１５内の所定の記憶領域から抽出し、リモコン信号送信部１９（図２）からリモコン信号Ｓ４（図２）として、対応する周辺装置に向けて送信する。
【０１０４】
例えば、ＯＳＤ８０のスケジュール欄８１において、スケジュール１に対応する設定欄８４の設定時に、照明器具３００の電源をＯＮ／ＯＦＦさせるコマンド情報が含まれたリモコン信号Ｓ３が、テレビ１００のリモコン信号受信部１８で受信されて、記憶部１５内の所定の記憶領域に記憶されているため、照明器具３００の操作開始時刻（設定欄８５）である「午後６時」が到来した場合、照明器具３００の電源をＯＮ／ＯＦＦさせるコマンド情報が含まれたリモコン信号Ｓ４（リモコン信号Ｓ３と同じ信号）が、リモコン信号送信部１９からリモコン信号受信部３２に向けて送信される。
【０１０５】
同じく、ＯＳＤ８０のスケジュール欄８１において、スケジュール２に対応する設定欄８４の設定時に、エアコン２００の電源をＯＮ／ＯＦＦさせるコマンド情報が含まれたリモコン信号Ｓ２が、テレビ１００のリモコン信号受信部１８で受信されて、記憶部１５内の所定の記憶領域に記憶されているため、エアコン２００の操作開始時刻（設定欄８５）である「午前６時」が到来した場合、エアコン２００の電源をＯＮ／ＯＦＦさせるコマンド情報が含まれたリモコン信号Ｓ４（リモコン信号Ｓ２と同じ信号）が、リモコン信号送信部１９からリモコン信号受信部２２に向けて送信される。
【０１０６】
ここで、テレビ１００は、リモコン信号送信部１９からリモコン信号Ｓ４を送信した後、制御部１１の制御の下、スタンバイ状態（待機状態）に再度移行する。
【０１０７】
リモコン信号Ｓ４が周辺装置で受信されると、当該リモコン信号Ｓ４に基づく操作が、当該周辺装置において実行される。
【０１０８】
例えば、照明器具３００の電源をＯＮ／ＯＦＦさせるコマンド情報が含まれたリモコン信号Ｓ４が、リモコン信号受信部３２で受信されると、制御部３１の制御の下、照明器具３００が点灯する。
【０１０９】
同じく、エアコン２００の電源をＯＮ／ＯＦＦさせるコマンド情報が含まれたリモコン信号Ｓ４が、リモコン信号受信部２２で受信されると、制御部２１の制御の下、エアコン２００が空調動作を開始する。
【０１１０】
また、リモコン・リンク設定で設定した周辺装置の操作終了時刻、つまり、設定欄８６に設定した時刻が到来すると、制御部１１の制御の下、テレビ１００の電源が再びＯＮになる。これにより、テレビ１００は、スタンバイ状態から動作状態に移行する。
【０１１１】
例えば、ＯＳＤ８０のスケジュール欄８１において、スケジュール１では、照明器具３００の操作終了時刻（設定欄８６）が、「午後１０時」に設定されているため、当該時刻にテレビ１００が動作状態になる。同じく、ＯＳＤ８０のスケジュール欄８１において、スケジュール２では、エアコン２００の操作終了時刻（設定欄８６）が、「午前７時３０分」に設定されているため、当該時刻にテレビ１００が動作状態になる。
【０１１２】
尚、設定欄８６に設定した時刻が到来したか否かは、制御部１１によって、時計部（図示省略）の時間情報と、記憶部１５に記憶されているリモコン・リンク設定情報とを監視することにより、判断することが出来る。また、この場合、テレビ１００が動作状態に移行した後、表示部１６にテレビ番組等の映像を表示しても良いし、表示しなくても良い。同じく、テレビ１００が動作状態に移行した後、スピーカ１７からテレビ番組等の音声を出力しても良いし、出力しなくても良い。
【０１１３】
テレビ１００が動作状態になると、制御部１１は、設定欄８４の設定時にリモコン信号受信部１８で受信されたリモコン信号を、記憶部１５内の所定の記憶領域から抽出し、リモコン信号送信部１９からリモコン信号Ｓ４として、対応する周辺装置に向けて送信する。
【０１１４】
例えば、ＯＳＤ８０のスケジュール欄８１において、スケジュール１に対応する設定欄８４の設定時に、照明器具３００の電源をＯＮ／ＯＦＦさせるコマンド情報が含まれたリモコン信号Ｓ３が、テレビ１００のリモコン信号受信部１８で受信されて、記憶部１５内の所定の記憶領域に記憶されているため、照明器具３００の操作終了時刻（設定欄８６）である「午後１０時」が到来した場合、照明器具３００の電源をＯＮ／ＯＦＦさせるコマンド情報が含まれたリモコン信号Ｓ４（リモコン信号Ｓ３と同じ信号）が、リモコン信号送信部１９からリモコン信号受信部３２に向けて送信される。
【０１１５】
同じく、ＯＳＤ８０のスケジュール欄８１において、スケジュール２に対応する設定欄８４の設定時に、エアコン２００の電源をＯＮ／ＯＦＦさせるコマンド情報が含まれたリモコン信号Ｓ２が、テレビ１００のリモコン信号受信部１８で受信されて、記憶部１５内の所定の記憶領域に記憶されているため、エアコン２００の操作終了時刻（設定欄８６）である「午前７時３０分」が到来した場合、エアコン２００の電源をＯＮ／ＯＦＦさせるコマンド情報が含まれたリモコン信号Ｓ４（リモコン信号Ｓ２と同じ信号）が、リモコン信号送信部１９からリモコン信号受信部２２に向けて送信される。
【０１１６】
ここで、テレビ１００は、リモコン信号送信部１９からリモコン信号Ｓ４を送信した後、制御部１１の制御の下、スタンバイ状態（待機状態）に再度移行する。
【０１１７】
リモコン信号Ｓ４が周辺装置で受信されると、当該リモコン信号Ｓ４に基づく操作が、当該周辺装置において実行される。
【０１１８】
例えば、照明器具３００の電源をＯＮ／ＯＦＦさせるコマンド情報が含まれたリモコン信号Ｓ４が、リモコン信号受信部３２で受信されると、当該リモコン信号Ｓ４の受信前において、照明器具３００は点灯状態にあるため、制御部３１の制御の下、照明器具３００が消灯する。
【０１１９】
同じく、エアコン２００の電源をＯＮ／ＯＦＦさせるコマンド情報が含まれたリモコン信号Ｓ４が、リモコン信号受信部２２で受信されると、当該リモコン信号Ｓ４の受信前において、エアコン２００は空調動作の継続状態にあるため、
制御部２１の制御の下、エアコン２００が空調動作を停止する。
【０１２０】
このように、上述した実施形態においては、リモコンＲ１で設定したリモコン・リンク設定情報に基づいて、周辺装置の操作を開始する時刻と、操作を終了する時刻が到来すると、当該リモコン・リンク設定時にテレビ１００のリモコン信号受信部１８で受信された周辺装置を操作するためのリモコン信号が、記憶部１５の所定の記憶領域から抽出されて、リモコン信号Ｓ４として、リモコン信号送信部１９から対応する周辺装置のリモコン信号受信部に向けて送信される。そして、リモコン信号Ｓ４を受信した周辺装置は、当該リモコン信号Ｓ４に含まれているコマンド情報に従って、周辺装置における所定の動作を開始し、また、終了する。
【０１２１】
リモコン信号送信部１９から送信されるリモコン信号Ｓ４は、テレビ１００のリモコン信号受信部１８で受信された周辺装置を操作するためのリモコン信号そのものであるため、利用者は、電子機器（テレビ１００）側の操作に基づく制御信号と、当該操作に対応する周辺装置（エアコン２００や照明器具３００）のリモコン信号とを個々に対応させてメモリ（記憶部１５）に記憶する操作を行わなくて良い。
【０１２２】
また、テレビ１００により周辺装置であるエアコン２００や照明器具３００等を操作するため、周辺装置を遠隔操作することに限定された電子機器をわざわざ用意する必要がない。
【０１２３】
さらに、テレビ１００のリモコン信号受信部１８で受信されたリモコン信号に対して、テレビ１００の仕様に合わせた信号変換処理を行わないため、制御対象の周辺装置に対応したリモコン信号に変換するための変換データが不要である。
【０１２４】
つまり、本発明に係るリモート・コントロール・システムでは、機器の用途が限定されることなく、簡単な操作や処理動作により、１台の電子機器で複数の周辺装置を遠隔操作することが出来る。
【０１２５】
これに加えて、テレビ１００は、図１に示すように、室内の壁側に設置され、その周囲に遮蔽物が置かれることはほとんどない。このため、同じ室内にあるエアコン２００や照明器具３００に対して、リモコン信号Ｓ４を送信しやすい。
【０１２６】
また、テレビ１００は、表示部１６を有しているとともに、図３のＯＳＤ８０で示されるようなタイマによるスケジューリング機能を備えているため、これらを利用して、エアコン２００や照明器具３００の設定を容易に行うことが出来る。そして、ＯＳＤ８０の設定内容に基づいて、エアコン２００や照明器具３００の操作を行った場合、起床時間に合わせてエアコン２００による空調を行うことができ、また、帰宅時間に合わせて照明器具３００を点灯させることが出来る。
【０１２７】
さらに、リモコン信号送信部１９が、表示部１６の前面上部に２個設けられているため、それぞれのリモコン信号送信部１９の指向性に制限があっても、広範囲の周辺機器（エアコン２００や照明器具３００）を操作することが出来る。
【０１２８】
本発明では、以上述べた以外にも種々の実施形態を採用することができる。例えば、上記実施形態では、複数の周辺装置を遠隔操作する電子機器の一例として、テレビ１００を挙げたが、これに限られず、リモコン信号送信部１９と同じ機能を備えたリモコン送信部を有する電子機器であれば、ＤＶＤ（Digital Versatile Disc）プレーヤ、ＰＣ（Personal Computer）、電気湯沸かし器等の他の電子機器を用いても良い。
【０１２９】
また、上記実施形態においては、テレビ１００にリモコン信号送信部１９を２個設けたが、これに限られず、リモコン信号送信部１９の送信能力（指向性等）等に合わせて、１個だけ設けても良いし、３個以上設けても良い。
【０１３０】
また、上記実施形態においては、リモコン信号送信部１９を、テレビ１００の表示部１６の前面に設けたが、これに限られず、表示部１６の側面や背面に設けても良い。
【０１３１】
また、上記実施形態においては、設定欄８５にて周辺装置の操作開始時刻を設定し、設定欄８６にて周辺装置の操作終了時刻を設定したが、これに限られず、設定欄８５を、周辺装置の第１回目の操作開始時刻を設定する設定欄とし、設定欄８６を、周辺装置の第２回目の操作開始時刻を設定する設定欄として、それぞれ時刻の設定を行っても良い。
【０１３２】
これにより、例えば、設定欄８４の設定内容として、エアコン２００の温度調整が設定された場合は、それぞれの時間に合わせた温度調整を行うことが出来る。同じく、設定欄８４の設定内容として、照明器具３００の光量調整が設定された場合は、それぞれの時間に合わせた光量調整を行うことが出来る。
【０１３３】
さらに、周辺装置を操作する電子機器（テレビ１００）をインターネット等のネットワークに接続することにより、携帯電話等の携帯端末からネットワーク経由でリモコン・リンク設定の変更や中止に係る処理を行えるようにしても良い。
【符号の説明】
【０１３４】
１２    放送信号受信部
１５    記憶部
１６    表示部
１７    スピーカ
８０    ＯＳＤ
Ｎ      アンテナ
１００    テレビジョン受像機
２００    エア・コンディショナー
３００    照明器具
Ｒ１〜Ｒ３    リモート・コントロール装置
Ｓ１〜Ｓ４    リモート・コントロール信号
５１，６１，７１    操作部
１８，２２，３２    リモコン信号受信部
１９，５２，６２，７２    リモコン信号送信部
【図１】
2011029914.tif 000003
【図２】
2011029914.tif 000004
【図３】
2011029914.tif 000005